(57)【特許請求の範囲】
【請求項１】
支柱と、前記支柱の周囲に互いに略直角となるように４方向に配置され、且つ多段で設けられた複数のバットウイングアンテナ素子とを備えるアンテナであって、
前記支柱は、複数の平板を接合して形成された断面略多角形の中空柱で構成されることを特徴とするアンテナ。
【請求項２】
前記支柱は、幅方向の外寸がほぼ等しい複数の中空柱を、略鉛直方向に連結して構成されており、
一の中空柱の板厚が、該一の中空柱の上方に配置される他の中空柱の板厚よりも大きいことを特徴とする請求項１記載のアンテナ。
【請求項３】
前記支柱の長手方向に沿って当該支柱の表面に取り付けられ、前記複数のバットウイングアンテナ素子にそれぞれ給電する複数の給電線を更に備え、
前記複数の給電線は、前記支柱の中心軸線に関してほぼ４回回転対称に配置されることを特徴とする請求項１又は２記載のアンテナ。
【請求項４】
前記給電線を前記支柱の表面に固定する略コの字型の給電線固定具を更に備え、
前記給電線固定具は、前記支柱における一の平面に略水平方向に並べて取り付けられる一対の脚部と、前記一対の脚部に設けられる橋部とを有しており、
前記脚部は前記一の平面と当接する平坦な底面を有することを特徴とする請求項３に記載のアンテナ。
【請求項５】
前記支柱は、断面略四角形の中空柱であり、
前記バットウイングアンテナ素子は、前記中空柱断面における各辺の略中央に配置されることを特徴とする請求項１から４のいずれか１項に記載のアンテナ。
【発明の詳細な説明】
【技術分野】
【０００１】
本発明はアンテナに関し、特に、放送や通信の電波の送信に使用されるスーパーターンスタイルアンテナに関する。
【背景技術】
【０００２】
従来、テレビジョン放送やＦＭ放送等の電波を送信するアンテナとして、スーパーターンスタイルアンテナ（ＳＴＡ）が我が国を含む世界各国で使用されている。
【０００３】
このＳＴＡは、例えばモノポールからなるバットウイングアンテナ素子４基を、中心柱を中心として互いに直角に取り付けて９０°の位相差で給電し、水平偏波の無指向性を実現するものである。
【０００４】
図１３は、従来のスーパーターンスタイルアンテナの一例を示す図であり、（ａ）は平面図、（ｂ）は側面図を示す。
【０００５】
図１３（ａ）及び図１３（ｂ）において、スーパーターンスタイルアンテナ１５１は、鉄製の中心柱１５３に設置されており、中心柱１３３を中心として、９０°ずつ離れた角度で４基１組のバットウィング素子１２２ａ〜１２２ｄが多段で取り付けられている（特許文献１）。
【０００６】
また、図１４に示すように、他の従来のスーパーターンスタイルアンテナ１６１では、外径の異なる複数の円形アンテナ支柱１６２を、外径の大きい順に積み重ねて溶接して１本のモノポールを作製し、各アンテナ支柱の外周面の４箇所にバットウィング素子１６３が取り付けられている（特許文献２）。
【先行技術文献】
【特許文献】
【０００７】
【特許文献１】特開２００２−１５１９４６号公報
【特許文献２】特開平８−２２２９２３号公報
【発明の概要】
【発明が解決しようとする課題】
【０００８】
上記のような円柱型モノポールアンテナは、通常、平板を曲げ加工によって筒状に成形することによって作製されるが、アンテナの断面形状を真円とするのは難しく、加工性（施工性）が悪いという問題がある。一方、断面形状が真円から歪んだ円であると、円柱の外周近傍に形成される電界が一様とならず、安定的な無指向性を実現することができない。
【０００９】
また、複数の円柱を外径の大きい順に積み重ねてモノポールアンテナを構成した場合、隣接する円柱の端面同士の重なり部分が少ないため、溶接面を十分に確保することができず、所望の機械的強度が得られないという問題がある。この問題を解消するために円柱の径を大きくしてモノポールアンテナの強度を高めることが考えられるが、円柱の径を大きくすると必然的にバットウィング素子同士が離れるため、放射パターンの無指向性が崩れてしまう。
【００１０】
特に、我が国においては地震の発生頻度が高いこと、あるいは建物の更なる高層化に伴ってＳＴＡをより高所に設置する可能性があることから、更に強度を向上させたＳＴＡが切望されている。
【００１１】
本発明の目的は、強度を向上しつつ施工性を良くして、安定的な無指向性を実現することができるアンテナを提供することにある。
【課題を解決するための手段】
【００１２】
上記目的を達成するために、本発明のアンテナは、支柱と、前記支柱の周囲に互いに略直角となるように４方向に配置され、且つ多段で設けられた複数のバットウイングアンテナ素子とを備えるアンテナであって、前記支柱は、複数の平板を接合して形成された断面略多角形の中空柱で構成されることを特徴とする。
【００１３】
また、前記支柱は、幅方向外寸がほぼ等しい複数の中空柱を、略鉛直方向に連結して構成されており、一の中空柱の板厚が、該一の中空柱の上方に配置される他の中空柱の板厚よりも大きい。
【００１４】
また、本発明のアンテナは、前記支柱の長手方向に沿って当該支柱の表面に取り付けられ、前記複数のバットウイングアンテナ素子にそれぞれ給電する複数の給電線を更に備え、前記複数の給電線は、前記支柱の中心軸線に関してほぼ４回回転対称に配置される。
【００１５】
さらに、本発明のアンテナは、前記給電線を前記支柱の表面に固定する略コの字型の給電線固定具を更に備え、前記給電線固定具は、前記支柱における一の平面に略水平方向に並べて取り付けられる一対の脚部と、前記一対の脚部に設けられる橋部とを有している。そして、前記脚部は前記一の平面と当接する平坦な底面を有している。
【００１６】
また、好ましくは、前記支柱は断面略四角形の中空柱であり、前記バットウイングアンテナ素子は、前記中空柱断面における各辺の略中央に配置される。
【発明の効果】
【００１７】
本発明によれば、複数のバットウイングアンテナ素子が、支柱の周囲に互いに略直角となるように４方向に配置され且つ多段で設けられ、支柱が断面略多角形の中空柱で構成されている。したがって、所定幅を有する複数の平板を溶接等で接合して多角柱を作製すれば、曲げ加工を施す必要がなくなり、施工性を向上しつつ寸法精度の高い多角柱を提供することができる。また、高い寸法精度を実現できることから、多角柱の外周近傍に一様な電界が形成され、水平偏波の安定的な無指向性を実現することができる。さらに、同一幅、同一板厚の円柱と多角柱を比較した場合、多角柱の周長が円柱の周長より大きくなることから、中空柱の機械的強度を向上させることができる。
【００１８】
また支柱は、幅方向の外寸がほぼ等しい複数の中空柱を、略鉛直方向に連結して構成され、一の中空柱の板厚が、該一の中空柱の上方に配置される他の中空柱の板厚よりも大きくなるように設計されている。したがって、隣接する中空柱の端面同士の重なり部分が多くなり、溶接面を十分に確保することが可能となるので、機械的強度を更に向上させることができる。
【００１９】
さらに、複数の給電線は、支柱の中心軸線に関してほぼ４回回転対称に配置されるので、複数の給電線の水平方向における対称性を実現することができ、水平偏波の無指向性を向上することができる。
【００２０】
加えて、給電線固定具を構成する脚部が一の平面と当接する平坦な底面を有するので、脚部の底面を所定曲率の曲面に形成する必要がなく、給電線を支柱に固定する際の施工性を格段に向上することが可能となる。
【００２１】
また、バットウイングアンテナ素子が中空柱断面における各辺の略中央に配置されるので、アンテナ素子を確実に固定することができると共に、水平偏波の無指向性を実現することができる。
【図面の簡単な説明】
【００２２】
【図１】本発明の実施形態に係るスーパーターンスタイルアンテナ（ＳＴＡ）の構成を概略的に示す斜視図である。
【図２】図１における支持柱の構成を示す鉛直方向の部分断面図である。
【図３】図１における各バットウイングアンテナ素子に電力を供給する給電線の経路を示す側面図である。
【図４】図１のＳＴＡの水平方向の断面図であり、（ａ）〜（ｄ）はそれぞれＩ−Ｉ断面、ＩＩ−ＩＩ断面、ＩＩＩ−ＩＩＩ断面、ＩＶ−ＩＶ断面を示す。
【図５】図１のＳＴＡの水平方向の断面図であり、（ａ）〜（ｃ）はそれぞれＶ−Ｖ断面、ＶＩ−ＶＩ断面、ＶＩＩ−ＶＩＩ断面を示す。
【図６】図５における給電線固定具の構成を示す拡大図であり、（ａ）は１本固定用の給電線固定具、（ｂ）は２本固定用の給電線固定具、（ｃ）は３本固定用の給電線固定具を示す。
【図７】図１のＳＴＡの電圧定在波比（ＶＳＷＲ）特性を示すグラフである。
【図８】ｆ＝８０．５ＭＨｚにおけるＳＴＡの水平偏波の指向性を示す図である。
【図９】ｆ＝９０ＭＨｚにおけるＳＴＡの水平偏波の指向性を示す図である。
【図１０】ｆ＝９９ＭＨｚにおけるＳＴＡの水平偏波の指向性を示す図である。
【図１１】ｆ＝１０８ＭＨｚにおけるＳＴＡの水平偏波の指向性を示す図である。
【図１２】図１における支持柱の変形例を示す図である。
【図１３】従来のＳＴＡの一例を示す図であり、（ａ）は平面図、（ｂ）は側面図を示す。
【図１４】従来のＳＴＡの他の一例を示す図である。
【発明を実施するための形態】
【００２３】
以下、本発明の実施形態を図面を参照しながら詳細に説明する。
【００２４】
図１は、本発明の実施形態に係るアンテナの構成を概略的に示す斜視図である。
【００２５】
図１に示すように、スーパーターンスタイルアンテナ（ＳＴＡ）１は、鉄塔８の上部に配置された支柱と、該支柱の周囲に互いに略直角となるように４方向に配置され且つ多段で設けられた複数のバットウイングアンテナ素子とを備えている。本実施形態のＳＴＡ１は、アンテナユニット２〜７を基本単位としてこれらユニットを略鉛直方向に一列に並べて連結することで構成されている。
【００２６】
アンテナユニット２は、支柱の一部を構成する断面略四角形の中空柱２１と、該中空柱の長手方向に沿って配置された４基のバットウイングアンテナ素子２２と、バットウイングアンテナ素子２２を固定する上下一対のブラケット２３，２３と、中空柱２１の長手方向に沿って当該中空柱の表面に取り付けられ、４基のバットウイングアンテナ素子２２にそれぞれ給電する複数の給電線２４とを有している。
【００２７】
バットウイングアンテナ素子２２は、水平方向及び鉛直方向に配される複数の丸棒部材を溶接等で接合することで構成されており、中空柱２１の断面における各辺の略中央に配置されている。この配置によって、アンテナ素子が確実に固定されると共に、水平偏波の無指向性が実現される。
【００２８】
給電線２４は、隣り合うバットウイングアンテナ素子２２に対して９０°の位相差となるように各アンテナ素子に電力を供給している。これにより水平偏波のバランスが保たれている。本実施形態では、１つのアンテナユニット２に対して、４基のバットウイングルアンテナ素子２２に対応する４つの給電線２４が配設されている。
【００２９】
アンテナユニット３〜７の構成は、アンテナユニット２の構成と基本的に同じであるので、以下に異なる部分を説明する。
【００３０】
図２は、図１における支柱の構成を示す鉛直方向の部分断面図である。尚、図２では説明を容易にするために各中空柱の板厚を大きく異ならせて表しているが、本発明における各中空柱の板厚は図２の形態に限られないものとする。
【００３１】
図２において、支柱は、幅方向の外寸がほぼ等しい複数の中空柱２１,３１,４１,・・・を、略鉛直方向に連結して構成されている。隣接する２つの中空柱は、例えば溶接にて接合されている。
【００３２】
そして、一の中空柱の板厚は、該一の中空柱の上方に配置される他の中空柱の板厚よりも大きくなるように設計されている。例えば、中空柱４１の板厚Ｃは中空柱３１の板厚Ｂよりも大きく、中空柱３１の板厚Ｂは中空柱２１の板厚Ａよりも大きい（Ａ＜Ｂ＜Ｃ）。換言すれば、中空柱２１,３１,４１,・・・は、その幅方向の外寸が等しいものであり、かつ、幅方向の内寸が小さい順に積み重ねられている。本構成によれば、隣接する中空柱の端面同士の重なり部分が多くなり、溶接面Ｘを十分に確保することが可能となる。
【００３３】
図３は、図１における各バットウイングアンテナ素子に電力を供給する給電線の経路を示す側面図である。なお、図３はＳＴＡ１を西側から見た図である。
【００３４】
給電線２４,３４,４４,５４,６４,７４は、それぞれ支柱の長手方向に沿って当該支柱の表面に取り付けられ、各給電線の一端がバットウイングアンテナ素子に、他端が外部経路に接続されている。そして、上側３段のアンテナユニットにおける給電線２４,３４,４４は、中空柱２１の水平方向外側から内側に向かって並列して順に配置されている。本配置により各給電線が交差することが無く、また給電線の布設作業性が向上する。
【００３５】
給電線５４,６４,７４は、西側のバットウイングアンテナ素子５２,６２,７２に関して給電線２４,３４,４４の反対側に配置されている。そして、給電線５４,６４,７４は、中空柱２１の水平方向外側から内側に向かって並列して順に配置されている。
【００３６】
図４は、図３のスーパーターンスタイルアンテナ１の水平方向の断面図であり、図４（ａ）〜図４（ｄ）は、それぞれＩ−Ｉ断面、ＩＩ−ＩＩ断面、ＩＩＩ−ＩＩＩ断面、ＩＶ−ＩＶ断面を示す。また、図５（ａ）〜図５（ｃ）は、それぞれＶ−Ｖ断面、ＶＩ−ＶＩ断面、ＶＩＩ−ＶＩＩ断面を示す。尚、図５及び図６の平面視において、前方側を北側正極、手前側を南側負極、左側を西側正極、右側を東側負極とする。
【００３７】
アンテナユニット２において（図４（ａ））、中空柱２１の外表面にはブラケット２３を固定するアンテナ素子取付用コマ２５が取り付けられている。そしてブラケット２３の一端がアンテナ素子取付用コマ２５に固定され、他端がバットウイングアンテナ素子２２に固定されている。
【００３８】
そして本実施形態では、アンテナ素子取付用コマ２５及びバットウイングアンテナ素子２２にはそれぞれ水平方向に形成された貫通孔（不図示）が設けられている。また、ブラケット２３の一端にはアンテナ素子取付用コマ２５の貫通孔に対応する他の貫通孔（不図示）が設けられ、他端にはバットウイングアンテナ素子２２の貫通孔に対応する他の貫通孔（不図示）が設けられている。これら貫通孔にそれぞれボルト２６，２７が挿通されることで、ブラケット２３の一端がバットウイングアンテナ素子２２に接合され、他端がアンテナ素子取付用コマ２５に接合される。
【００３９】
また、バットウイングアンテナ素子２２にはジャンパ線２８の一端が接続されており、他端がジャンパ取付用コマ２９を介して給電線２４に接続されている（図４（ｂ））。本構成により、所定の電力がジャンパ線２８を介してバットウイングアンテナ素子２２に供給されている。
【００４０】
アンテナユニット３には、給電線２４を中空柱３１の表面に固定する給電線固定具３５が設けられており、本実施形態では、４つの給電線固定具３５が中空柱３１の中心軸線に関して４回回転対称に配置されている（図４（ｃ））。また、バットウイングアンテナ素子３２にはジャンパ線３８の一端が接続されており、他端がジャンパ取付用コマ３９を介して給電線３４に接続されている。
【００４１】
次に、アンテナユニット４には、給電線２４,３４を中空柱４１の表面に固定する給電線固定具４５が設けられている。本実施形態では、４つの給電線固定具４５が中空柱４１の中心軸線に関して４回回転対称に配置されている（図４（ｄ））。また、バットウイングアンテナ素子４２にはジャンパ線４８の一端が接続されており、他端がジャンパ取付用コマ４９を介して給電線４４に接続されている。
【００４２】
また、図５（ａ）に示すように、アンテナユニット５には、給電線２４,３４,４４を中空柱５１の表面に固定する給電線固定具５５が設けられている。本実施形態では、４つの給電線固定具５５が中空柱５１の中心軸線に関して４回回転対称に配置されている。バットウイングアンテナ素子５２にはジャンパ線５８の一端が接続されており、他端がジャンパ取付用コマ４９を介して給電線５４に接続されている。
【００４３】
アンテナユニット６には、給電線２４,３４,４４を中空柱６１の表面に固定する給電線固定具６５と、給電線固定具６５が取り付けられた表面と同一表面に給電線５４を固定する給電線固定具６６とが設けられている（図５（ｂ））。本実施形態では、４つの給電線固定具６５が中空柱６１の中心軸線に関して４回回転対称に配置されており、さらに、４つの給電線固定具６６が中空柱６１の中心軸線に関して４回回転対称に配置されている。バットウイングアンテナ素子６２にはジャンパ線６８の一端が接続されており、他端がジャンパ取付用コマ６９を介して給電線６４に接続されている。
【００４４】
次いでアンテナユニット７には、給電線２４,３４,４４を中空柱７１の表面に固定する給電線固定具７５と、給電線固定具７５が取り付けられた表面と同一表面に給電線５４,６４を固定する給電線固定具７６とが設けられている（図５（ｃ））。本実施形態では、４つの給電線固定具７５が中空柱７１の中心軸線に関して４回回転対称に配置されており、さらに、４つの給電線固定具７６が中空柱７１の中心軸線に関して４回回転対称に配置されている。また、バットウイングアンテナ素子７２にはジャンパ線７８の一端が接続されており、他端がジャンパ取付用コマ７９を介して給電線７４に接続されている。
【００４５】
このように、アンテナユニット２〜７では、自身のユニットより上方に位置するユニットへの給電線の全てを給電線固定具で固定する構成となっている。そして、一のアンテナユニットの給電線固定具は、ＳＴＡ１の投影面において他のアンテナユニットの給電線固定具とほぼ同一位置に配置されている。
【００４６】
給電線固定具３５,４５,５５,６５,７５が上記のように配置されると、給電線２４,３４,４４,５４,６４,７４は、支柱のいずれの高さにおいても該支柱の中心軸線に関して４回回転対称に配置されることとなる。よって、複数の給電線の水平方向における正確な対称性を実現することができ、水平偏波の無指向性を向上することができる。
【００４７】
図６は、図５における給電線固定具の構成を示す拡大図であり、（ａ）は１本固定用の給電線固定具３５、（ｂ）は２本固定用の給電線固定具４５、（ｃ）は３本固定用の給電線固定具５５を示す。
【００４８】
尚、給電線固定具６５は給電線固定具３５と同一構成であり、給電線固定具７５は給電線固定具４５と同一構成であるので、それらの説明を省略する。
【００４９】
給電線固定具３５は、中空柱３１の表面に取り付けられる角形部材本体３６と、該角形部材本体の主面に形成されたタップ３７とを有している。また、Ｌ字型ブラケットがボルトでタップ３７に固定されており、このＬ字型ブラケットと中空柱３１の間に給電線２４が挟持された状態で、Ｌ字型ブラケットが中空柱３１に締め付け固定される。
【００５０】
給電線固定具４５は、給電線２４,３４を中空柱４１の表面に固定する略コの字型の固定具である（図６（ｂ））。この給電線固定具４５は、中空柱４１の平面４１ａに略水平方向に並べて取り付けられる一対の脚部８１,８１と、一対の脚部８１,８１の端面に取り付けられる板状の橋部８２と、一対の脚部８１,８１と橋部８２とをそれぞれ接合するボルト８３,８３とを有している。そして、これら一対の脚部８１,８１と橋部８２及び中空柱４１によって、２つの給電線２４,３４が列設される空間が画定される。
【００５１】
また、一対の脚部８１,８１及び橋部８２の内側面には、給電線固定具４５と給電線２４,３４との接触による断線等を防止するシート状の緩衝部材８４が取り付けられている。緩衝部材８４は、例えばネオプレンゴムからなる。
【００５２】
脚部８１は、例えば中実の四角柱であり、平面４１ａと当接する平坦な底面８１ａを有する。すなわち、底面８１ａは平面４１ａと略平行となるように形成されており、底面８１ａの全体が平面４１ａと当接する。本構成により、支持柱が円柱である場合と比較して、脚部の底面を曲率一定の曲面に形成する必要がなく、各給電線を支柱に固定する際の施工性を格段に向上することが可能となる。
【００５３】
また、図６（ｃ）に示すように、給電線固定具５５は、給電線２４,３４,４４を中空柱５１の表面に固定する略コの字型の固定具である。この給電線固定具５５は、中空柱５１の平面５１ａに略水平方向に並べて取り付けられる一対の脚部９１,９１と、一対の脚部９１,９１の端面に取り付けられる板状の橋部９２と、一対の脚部９１,９１と橋部９２とをそれぞれ接合するボルト９３,９３とを有している。そして、これら一対の脚部９１,９１と橋部９２及び中空柱５１によって、３つの給電線２４,３４,４４が列設される空間が画定される。
【００５４】
また、給電線固定具４５と同様にして、一対の脚部９１,９１及び橋部９２の内側面には、給電線固定具５５と給電線２４,３４,４４との接触による断線等を防止するシート状の緩衝部材９４が取り付けられている。
【００５５】
このように、各給電線固定具で１〜３本の給電線を支柱の所定位置で固定することにより、ＳＴＡ１全体として２４本の給電線が支柱に確実に固定される。また、一対の脚部と橋部をボルトで接合しているため、給電線を容易に交換することが可能となる。
【００５６】
次に、上記のように構成されるＳＴＡ１のアンテナ特性を調査した結果を以下に示す。
【００５７】
図７は、図１のＳＴＡ１のＶＳＷＲ特性を示すグラフである。
【００５８】
図７に示すように、周波数帯域７５〜１１０ＭＨｚにおいてＶＳＷＲが１．２５以下となっており、特に、周波数帯域７６〜１０８ＭＨｚにおいてＶＳＷＲが１．１５以下となっている。この結果から、本発明のＳＴＡ１によって、上記周波数帯域で良好な電圧定在波比が得られることが判明した。
【００５９】
図８〜図１１は、ＳＴＡ１の水平偏波の指向性を示す図である。図中、０°,９０°,１８０°,２７０°の方向がバットウイングアンテナ素子の取り付け方向である。
【００６０】
図８のｆ＝８０．５ＭＨｚの場合において、およそ４５°,１３５°,２２５°,３１５°の方向で相対的な利得（Gain)の落ち込みがあるものの、ほぼ無指向性を示しており、全方向で利得が約−２．７ｄＢ以上と高い利得を示した。
【００６１】
また、ｆ＝９０ＭＨｚの場合では（図９）、全方向で利得が約−３．１以上となっており、ｆ＝９９ＭＨｚでは（図１０）、全方向で利得が約−３．５ｄＢ以上となり、ｆ＝１０８ＭＨｚの場合では（図１１）、全方向で利得が約−３．６ｄＢ以上となっている。この結果から、ｆ＝９０〜１０８ＭＨｚの周波数帯域では、全方向で利得が−３．６ｄＢ以上となり、水平偏波の無指向性を実現できることが判明した。
【００６２】
上述したように、本実施形態によれば、バットウイングアンテナ素子２２,３２,４２,５２,６２,７２が、支柱の周囲に互いに略直角となるように４方向に配置され且つ多段で設けられ、支柱が断面略多角形の中空柱２１,３１,４１,５１,６１,７１で構成されている。したがって、所定幅を有する複数の平板を接合して多角柱を作製すれば、曲げ加工を施す必要がなくなり、施工性を向上しつつ寸法精度の高い多角柱を提供することができる。また、高い寸法精度を実現できることから、多角柱の外周近傍に一様な電界が形成され、水平偏波の安定的な無指向性を実現することができる。さらに、同一幅、同一板厚の円柱と多角柱を比較した場合、多角柱の周長が円柱の周長より大きくなることから、中空柱２１,３１,４１,５１,６１,７１の機械的強度、特に曲げ強度を向上させることができる。
【００６３】
尚、上記実施形態では中空柱２１は断面略四角形であるが、他の断面形状であってもよい。例えば、図１２（ａ）〜図１２（ｃ）に示すように、断面略ひし形の中空柱１２１、断面略六角形の中空柱１３１、あるいは断面略八角形の中空柱１４１であってもよい。また、中空柱１２１に連結される他の複数の中空柱は、中空柱１２１の形状に応じて断面略菱形、断面略六角形、断面略八角形等の多角形状をとりうる。
【００６４】
また、中空柱１２１,１３１において、隣接する２つのバットウイングアンテナのうちの一方が、ひし形あるいは六角形等の頂点に固定される。本変形例によっても中空柱の機械的強度を向上することができ、加えて中空柱の設計の自由度を向上することができる。
【００６５】
以上、本実施形態に係るＳＴＡについて述べたが、本発明は記述の実施形態に限定されるものではなく、本発明の技術思想に基づいて各種の変形及び変更が可能である。
【符号の説明】
【００６６】
１  スーパーターンスタイルアンテナ（ＳＴＡ）
２，３，４，５，６，７  アンテナユニット
８  鉄塔
２１，３１，４１，５１，６１，７１  中空柱
２２，３２，４２，５２，６２，７２  バットウイングアンテナ素子
２３，２３  一対のブラケット
２４，３４，４４，５４，６４，７４  給電線
２５  アンテナ素子取付用コマ
２６，２７，８３  ボルト
２８，３８，４８，５８，６８，７８  ジャンパ線
２９，３９，４９，５９，６９，７９  ジャンパ取付用コマ
３５，４５，５５，６５，６６，７５，７６  給電線固定具
３６  角形部材本体
３７  タップ
４３，４３  一対のブラケット
５３，５３  一対のブラケット
６３，６３  一対のブラケット
７３，７３  一対のブラケット
８１，８１  一対の脚部
８２  橋部
８４  緩衝部材
９１，９１  一対の脚部
【図１】
0005449293.tif 000002
【図２】
0005449293.tif 000003
【図３】
0005449293.tif 000004
【図４】
0005449293.tif 000005
【図５】
0005449293.tif 000006
【図６】
0005449293.tif 000007
【図７】
0005449293.tif 000008
【図８】
0005449293.tif 000009
【図９】
0005449293.tif 000010
【図１０】
0005449293.tif 000011
【図１１】
0005449293.tif 000012
【図１２】
0005449293.tif 000013
【図１３】
0005449293.tif 000014
【図１４】
0005449293.tif 000015